(57)【要約】【課題】洗剤無しで運転を行う場合にも十分な洗浄能力が得られる洗濯機を提供すること。【解決手段】「洗剤無しコース」の設定時には水道水が注水ケースを通さずに洗濯槽４内に注入され、洗い工程が「標準コース」に比べて長い洗い時間および強い水流で行われる。この構成の場合、洗剤の無さが運転内容によってカバーされるので、洗剤無しで運転を行う場合にも十分な洗浄能力が得られる。【選択図】  図１
2004159755.tif 000002
【特許請求の範囲】
【請求項１】
洗濯物が投入される洗濯槽と、
前記洗濯槽内に洗剤分を自動的に投入する洗剤投入器と、
標準の洗剤量で洗いを行う標準量コースおよび標準を下回る洗剤量で洗いを行う非標準量コースを設定可能な洗濯コース設定手段と、
前記洗濯コース設定手段の設定結果に応じて運転内容を制御する運転制御手段とを備え、
前記運転制御手段は、非標準量コースの設定時には標準量コースの設定時に比べて高洗浄力で洗いを行うことを特徴とする洗濯機。
【請求項２】
洗剤量を標準値に対する比率で指定可能な指定手段を備え、
洗濯槽内には、洗剤投入器から前記指定手段の入力結果に応じた量の洗剤分が自動的に投入されることを特徴とする請求項１記載の洗濯機。
【請求項３】
非標準量コースとして洗剤無しで洗いを行う洗剤無しコースを指定可能な指定手段を備え、
運転制御手段は、洗剤無しコースの指定時には洗剤投入器を用いて洗剤を投入することなく洗いを行うことを特徴とする請求項１〜２のいずれかに記載の洗濯機。
【請求項４】
運転制御手段は、非標準量コースの設定時には標準量コースの設定時に比べて長い洗い時間で運転を行うことを特徴とする請求項１〜３のいずれかに記載の洗濯機。
【発明の詳細な説明】
【０００１】
【発明の属する技術分野】
本発明は、洗濯槽内に洗剤分を自動的に投入する構成の洗濯機に関する。
【０００２】
【従来の技術】
上記洗濯機には、注水ケース内の洗剤を水道水と共に洗濯槽内に自動的に投入する構成のものがある。この注水ケースは使用者が洗剤を手で投入したり、洗剤自動排出装置が自動的に投入するものであり、規定量を下回る少量の洗剤で洗濯を行うときには使用者が注水ケースに対する洗剤投入量を減らしたり、停止キーを操作することに基づいて洗剤自動排出装置を駆動停止するようにしている。
【０００３】
【発明が解決しようとする課題】
上記従来構成の場合、規定量の洗剤を使用することを前提として運転内容が設定されている。このため、少量の洗剤で運転を行った場合には規定量の洗剤を用いた場合に比べて汚れが落ち難くなるので、洗剤量を環境改善等の目的で減らすことに十分に対応できない。
本発明は上記事情に鑑みてなされたものであり、その目的は、規定量を下回る少量の洗剤で運転を行った場合にも十分な洗浄能力が得られる洗濯機を提供することにある。
【０００４】
【課題を解決するための手段】
＜請求項１に係る発明について＞
請求項１に係る発明は、非標準量コースの設定時には標準量コースの設定時に比べて高洗浄力で洗いを行うところに特徴を有する。この標準量コースは規定された標準の洗剤量で洗いを行うコースであり、非標準量コースは標準量を下回る洗剤量で洗いを行うコースである。この非標準量コースの洗剤量は標準量コースで規定された洗剤量に対する相対的な量であり、洗剤量が標準より少ないのは勿論のこと、洗剤量が「０」であることを含む。また、高洗浄力で洗いを行うとは汚れ落ちの度合を相対的に高める態様で洗いを行うことであり、具体的には標準量コースに比べて長い洗い時間で運転を行うこと・標準量コースに比べて強い水流で運転を行うこと・標準量コースに比べて高温度の水で運転を行うこと・これらの組合せで運転を行うこと等を称している。
請求項１に係る発明によれば、標準を下回る洗剤量で運転を行うときには洗いが高洗浄力で行われる。このため、洗剤量の少なさ（洗剤量「０」を含む）が運転内容によってカバーされるので、標準を下回る洗剤量で運転を行う場合にも十分な洗浄能力が得られる。
【０００５】
＜請求項２に係る発明について＞
請求項２に係る発明は、洗剤量を標準値に対する比率で指定し、洗剤投入器から指定結果に応じた量の洗剤分を洗濯槽内に自動的に投入するところに特徴を有する。この場合、指定手段の操作部に洗剤量の比率を「０．８倍」等の数値で表示したり、「少なめ」等の感覚値で表示すると良い。また、洗剤種類に応じた洗剤量の標準値を指定する指定手段を設け、標準値指定手段の指定結果および洗剤量指定手段の指定結果の双方に基づいて洗剤投入量を設定しても良い。
請求項２に係る発明によれば、洗剤量を標準値に対する比率で指定することができる。このため、洗剤量を絶対的な数値で直接指定する必要がなくなるので、使い勝手が向上する。
【０００６】
＜請求項３に係る発明について＞
請求項３に係る発明は、洗剤無しで洗いを行う洗剤無しコースを指定可能な指定手段を設けたところに特徴を有する。この指定手段は洗剤無しコースに１対１の関係で対応する専用手段であっても良く、複数の洗濯コースの中から洗剤無しコースを選択する選択手段であっても良い。
請求項３に係る発明によれば、洗剤無しで運転を行うときには洗いが高洗浄力で行われる。このため、洗剤の無さが運転内容によってカバーされるので、洗剤無しで運転を行う場合にも十分な洗浄能力が得られる。
【０００７】
＜請求項４に係る発明について＞
請求項４に係る発明は、標準を下回る洗剤量で運転を行うときには洗い時間が相対的に長く設定されるところに特徴を有する。この標準を下回る洗剤量とは、上述したように、洗剤無しを含む用語である。
請求項４に係る発明によれば、洗い時間の長さによって洗剤量の少なさ（洗剤量「ゼロ」を含む）がカバーされる。このため、ソフトウエアの変更程度で対応でき、洗い水をヒータ等の加熱手段によって加熱する必要がなくなるので、構成の複雑化が防止される。
【０００８】
【発明の実施の形態】
以下、本発明の第１の実施例を図１〜図３に基づいて説明する。まず、図２において、外箱１は上面が開口する矩形箱状をなすものであり、外箱１内には水受槽２が吊持されている。この水受槽２は上面が開口され且つ下面が閉鎖された円筒状をなすものであり、水受槽２の下面には洗濯モータ３が固定されている。また、水受槽２内には洗濯槽４が収納されており、洗濯槽４には複数の貫通孔５が形成されている。この洗濯槽４は洗濯物を洗う洗い槽および洗濯物を脱水する脱水槽を兼用するものであり、上面が開口され且つ下面が閉鎖された円筒状をなしている。
【０００９】
洗濯槽４はクラッチ機構（図示せず）を介して洗濯モータ３の回転軸に連結されている。このクラッチ機構は減速ギア機構を内蔵するクラッチモータ６（図３参照）を駆動源とするものであり、クラッチモータ６の駆動に基づいて洗濯槽４を洗濯モータ３の回転軸に直結する脱水状態および洗濯槽４を洗濯モータ３の回転軸から遮断する洗い状態に切換わる。
【００１０】
洗濯槽４内には、図２に示すように、パルセータ７が収納されている。このパルセータ７は洗濯モータ３の回転軸に直結されたものであり、クラッチ機構の状態に拘らず回転軸と一体的に回転する。即ち、クラッチ機構が脱水状態にあるときには洗濯モータ３の駆動に基づいて洗濯槽４およびパルセータ７が一体的に回転し、クラッチ機構が洗い状態にあるときには洗濯モータ３の駆動に基づいてパルセータ７が単独で回転する。
【００１１】
水受槽２の上端部には板状の槽カバー８が固定されている。この槽カバー８は貫通孔状の内部投入口９を有するものであり、槽カバー８の後端部には上方へ突出する筒状の注水ホース接続口１０および注水ホース接続口１１が固定されている。この槽カバー８には内蓋１２が回動可能に装着されており、内部投入口９は内蓋１２が回動操作されることに基づいて開閉される。
【００１２】
水受槽２の下面には排水管１３が接続されている。この排水管１３は水受槽２内の水を機外へ排出するものであり、排水管１３には排水弁１４が装着されている。この排水弁１４はクラッチ機構と共通のクラッチモータ６を駆動源とするものであり、クラッチ機構に連動して開閉される。具体的にはクラッチ機構が脱水状態にあるときには排水弁１４が開放状態になることに基づいて排水管１３を開放し、クラッチ機構が洗い状態にあるときには排水弁１４が閉鎖状態になることに基づいて排水管１３を閉鎖する。
【００１３】
外箱１の上端部にはトップカバー１５が固定されており、トップカバー１５には貫通孔状の外部投入口１６が形成されている。この外部投入口１６は洗濯槽４内に洗濯物を投入する投入口に相当するものであり、洗濯槽４内には外部投入口１６から内部投入口９を通して洗濯物が投入される。また、トップカバー１５には外蓋１７が回動可能に装着されており、外部投入口１６は外蓋１７が回動操作されることに基づいて開閉される。
【００１４】
トップカバー１５内には後端部に位置して注水ケース１８が固定されている。この注水ケース１８は前面が開口する容器状をなすものであり、注水ホース１９を介して槽カバー８の注水ホース接続口１０に接続されている。また、注水ケース１８内には洗剤ケース２０が収納されている。この洗剤ケース２０は注水ケース１８内に収納された収納状態および注水ケース１８内から前方へ引出された引出し状態間でスライド操作可能にされたものであり、洗剤ケース２０内には引出し状態で粉末洗剤または液体洗剤が人手により投入される。尚、注水ケース１８は洗剤投入器に相当するものである。
【００１５】
トップカバー１５内には後端部に位置して給水弁２１が固定されている。この給水弁２１は第１の出力ポートと第２の出力ポートと入力ポートとを有する３ポート形のものであり、給水弁２１の入力ポートにはホース２２を介して水道の蛇口２３が接続されている。この給水弁２１はバルブモータ２４（図３参照）を駆動源とするものであり、バルブモータ２４が駆動することに基づいて下記▲１▼〜▲３▼の状態に切換わる。
【００１６】
▲１▼  入力ポートおよび第１の出力ポートが開放された第１の開放状態
▲２▼  入力ポートおよび第２の出力ポートが開放された第２の開放状態
▲３▼入力ポートが閉鎖された完全閉鎖状態
給水弁２１の第１の出力ポートには、図２に示すように、注水ケース１８が接続されており、給水弁２１が第１の開放状態にあるときには水道の蛇口２３から注水ケース１８および注水ホース１９を通して洗濯槽４内に水道水が注入される。このとき、注水ケース１８内の洗剤が水道水に混入し、洗濯槽４内に洗剤分を含有する水道水（洗剤水と称する）が自動的に注入される。また、給水弁２１の第２の出力ポートには注水ホース２５を介して槽カバー８の注水ホース接続口１１が接続されており、給水弁２１が第２の開放状態にあるときには水道の蛇口２３から注水ホース２５を通して洗濯槽４内に洗剤分を含有しない水道水（真水）が注入される。
【００１７】
トップカバー１５の前端部には操作パネル２６が固定されており、操作パネル２６には主電源を入切りするための電源スイッチ（図示せず），洗濯コースを指定するためのコーススイッチ２７，指定された洗濯コースで洗濯運転を開始するためのスタートスイッチ２８（いずれも図３参照）が機械的に装着されている。尚、コーススイッチ２７は指定手段に相当するものである。
【００１８】
トップカバー１５内には、図２に示すように、基板ケース２９が配設されている。この基板ケース２９は操作パネル２６の下面に固定されたものであり、基板ケース２９内には制御回路基板および駆動回路基板（いずれも図示せず）が上下２段に収納されている。このうち制御回路基板には、図３に示すように、制御装置３０が搭載されており、洗濯コーススイッチ２７およびスタートスイッチ２８は制御装置３０の入力端子に電気的に接続されている。この制御装置３０はマイクロコンピュータを主体に構成されたものであり、ＣＰＵ，ＲＯＭ，ＲＡＭ，Ｉ／Ｏを有している。尚、制御装置３０は洗濯コース設定手段および運転制御手段に相当するものである。
【００１９】
制御装置３０の出力端子には駆動回路３１が電気的に接続されており、駆動回路３１には洗濯モータ３，クラッチモータ６，バルブモータ２４が電気的に接続されている。この駆動回路３１は駆動回路基板に搭載されたものであり、制御装置３０は洗濯モータ３，クラッチモータ６，バルブモータ２４を駆動回路３１を通して駆動制御する。
【００２０】
制御装置３０の入力端子には水位センサ３２が電気的に接続されている。この水位センサ３２は洗濯槽４内の水位に応じたレベルの電気信号を出力するものであり、制御装置３０は水位センサ３２からの出力信号に基づいて洗濯槽４内の水位を検出する。
【００２１】
次に上記構成の作用について説明する。
制御装置３０は電源スイッチのオン状態でコーススイッチ２７の操作を検出すると、コーススイッチ２７の操作内容に応じて洗濯コースを設定し、洗濯運転を洗濯コースの設定結果に応じた内容で自動的に実行する。この洗濯コースは洗い工程，すすぎ工程，脱水工程の組合せからなるものであり、洗い工程〜脱水工程の詳細は次の通りである。
【００２２】
洗い工程：パルセータ７を水の貯留状態で単独回転させ、洗濯槽４内の洗濯物を水流で洗う工程である。この洗い工程は洗い時間Ｐａおよび水流Ｐｂをパラメータとするものであり、洗い時間Ｐａおよび水流Ｐｂを洗濯コースの設定結果に応じた値にセットして実行される。尚、水流はパルセータ７の回転によって生成されるものであり、パルセータ７の回転速度によって設定されるものである。
【００２３】
すすぎ工程：パルセータ７を水の貯留状態で単独回転させ、洗濯槽４内の洗濯物を水流ですすぐ工程であり、すすぎ工程では洗濯槽４に対する注水動作が継続的に行われることに基づいて洗濯物のすすぎがオーバーフロー状態で行われる。このすすぎ工程はすすぎ時間Ｐｃをパラメータとするものであり、すすぎ時間Ｐｃを洗濯コースの設定結果に応じた値にセットして行われる。
【００２４】
脱水工程：洗濯槽４およびパルセータ７を水の非貯留状態で同時回転させ、洗濯槽４内の洗濯物から水を遠心力で除去する工程である。この脱水工程にはパラメータが設定されておらず、脱水工程は洗濯コースに拘らず同一の運転内容で実行される。
【００２５】
図１の（ａ）は制御装置３０のＲＯＭに記録された制御プログラムを示すフローチャートであり、制御装置３０のＣＰＵは洗濯モータ３，クラッチモータ６，バルブモータ２４を制御プログラムに基づいて駆動制御することに伴い洗濯コースの設定結果に応じた内容で洗濯運転を行う。以下、制御装置３０の処理内容について説明する。
【００２６】
制御装置３０は電源スイッチがオン操作されると、ステップＳ１でコーススイッチ２７の操作を検出する。ここでコーススイッチ２７の操作を検出したときにはステップＳ２へ移行し、コーススイッチ２７の操作内容に応じて「標準コース」および「洗剤無しコース」を選択的に設定する。尚、「標準コース」および「洗剤無しコース」は標準量コースおよび非標準量コースに相当するものである。
【００２７】
＜「標準コース」について＞
「標準コース」は、図１の（ｂ）に示すように、▲１▼洗い工程，▲２▼すすぎ工程（１回目），▲３▼脱水工程（１回目），▲４▼すすぎ工程（２回目），▲５▼脱水工程（２回目）を当該順序で行うものであり、▲１▼洗い工程では洗い時間Ｐａおよび水流Ｐｂが予め設定された標準値にセットされ、標準の長さの洗い時間および標準の強さの水流で運転が行われる。この▲１▼洗い工程は洗い水として洗剤水を使用するものであり、▲１▼洗い工程を実行するに際しては給水弁２１が第１の開放状態に切換えられ、注水ケース１８内から洗濯槽４内に設定水位の洗剤水が注入される。
【００２８】
▲２▼すすぎ工程（１回目）および▲４▼すすぎ工程（２回目）ではすすぎ時間Ｐｃが予め設定された標準値にセットされ、標準の長さのすすぎ時間で運転が行われる。これら▲２▼すすぎ工程（１回目）および▲４▼すすぎ工程（２回目）はすすぎ水として真水を使用するものであり、▲２▼すすぎ工程（１回目）および▲４▼すすぎ工程（２回目）を実行するに際しては給水弁２１が第２の開放状態に切換えられ、注水ケース１８内を通さずに注水ホース２５から洗濯槽４内に真水が注入される。
【００２９】
＜「洗剤無しコース」について＞
「洗剤無しコース」は、図１の（ｃ）に示すように、▲１▼洗い工程，▲２▼すすぎ工程，▲３▼脱水工程を当該順序で行うものであり、▲１▼洗い工程では洗い時間Ｐａが標準値に比べて長い長値にセットされ、水流が標準値に比べて強い強値にセットされ、標準に比べて長い洗い時間および強い水流で運転が行われる。この▲１▼洗い工程は洗い水として真水を使用するものであり、▲１▼洗い工程を実行するに際しては給水弁２１が第２の開放状態に切換えられ、注水ケース１８内を通さずに注水ホース２５から洗濯槽４内に設定水位の真水が注入される。
【００３０】
▲２▼すすぎ工程ではすすぎ時間Ｐｃが標準値に比べて短い短値にセットされ、標準に比べて短いすすぎ時間で運転が行われる。この▲２▼すすぎ工程はすすぎ水として真水を使用するものであり、▲２▼すすぎ工程を実行するに際しては給水弁２１が第２の開放状態に切換えられ、注水ケース１８内を通さずに注水ホース２５から洗濯槽４内に真水が注入される。
【００３１】
制御装置３０は洗濯コースを設定すると、図１の（ａ）のステップＳ３でスタートスイッチ２８の操作の有無を判断する。ここでスタートスイッチ２８の操作を検出したときにはステップＳ４へ移行し、洗濯モータ３に予め設定された一定パターンで駆動電源を印加する。このとき、洗濯モータ３の現実の回転状態を検出する。そして、回転状態の検出結果に基づいて洗濯物の投入量を判定し、ステップＳ５で洗濯物量の判定結果に基づいて▲１▼洗い工程時の水位を高水位，中水位，低水位の中から選択的に設定する。そして、ステップＳ６へ移行し、上述したように、洗濯コースの設定結果に応じた内容で洗濯運転を実行する。
【００３２】
上記第１実施例によれば、標準を下回る洗剤量「０」で運転を行うときには洗い工程の所要時間Ｐａおよび水流Ｐｂを長値および強値に設定し、洗い工程を高洗浄力で行った。このため、洗剤の無さが運転内容によってカバーされるので、洗剤量「０」で運転を行う場合にも十分な洗浄能力が得られる。
【００３３】
次に本発明の第２実施例を図４〜図９に基づいて説明する。トップカバー１５内には、図４に示すように、給水弁４０が固定されている。この給水弁４０は１個の入力ポートおよび１個の出力ポートを有するものであり、給水弁４０の入力ポートはホース２２を介して水道の蛇口２３に接続されている。この給水弁４０はソレノイドバルブからなるものであり、バルブソレノイド（図示せず）がオンおよびオフされることに基づいて開放状態および閉鎖状態に切換わる。
【００３４】
トップカバー１５内には注水ケース４１が固定されている。この注水ケース４１は洗剤投入器に相当するものであり、注水ケース４１の出口は注水ホース１９を介して槽カバー８の注水ホース接続口１０に接続され、注水ケース４１の入口は給水弁４０の出力ポートに接続されている。
【００３５】
トップカバー１５には洗剤排出装置４２が固定されており、洗剤排出装置４２内には粉末洗剤が貯留されている。この洗剤排出装置４２は螺旋状の洗剤スクリューおよび駆動源に相当する洗剤排出モータ（いずれも図示せず）を内蔵するものであり、洗剤排出モータの駆動時には洗剤スクリューが回転することに基づいて内部の洗剤を注水ケース４１内に自動的に排出する。この状態で給水弁４０が開放されたときには注水ケース４１内に水道水が注入され、注水ケース４１内の洗剤が水道水と共に洗濯槽４内に自動的に注入される。
【００３６】
操作パネル２６には、図５に示すように、電源入スイッチ４３および電源切スイッチ４４が機械的に装着されており、主電源は電源入スイッチ４３および電源切スイッチ４４の操作に基づいて入切りされる。また、操作パネル２６には洗剤種類スイッチ４５，洗剤使用量スイッチ４６，洗剤量固定スイッチ４７，洗濯コーススイッチ４８，スタートスイッチ４９，メモリースイッチ５０が機械的に装着されている。これら洗剤種類スイッチ４５〜メモリースイッチ５０は、下記に示すように、運転条件を設定するためのものであり、制御装置３０に電気的に接続されている。
【００３７】
＜洗剤種類スイッチ４５について＞
使用する洗剤の種類を定められた使用量で指定するものであり、洗剤種類スイッチ４５の操作時には洗剤種類が操作毎に「１５ｇ／３０Ｌ」→「２０ｇ／Ｌ」→「２５ｇ／Ｌ」→「１５ｇ／３０Ｌ」・・・のスクロール状に切換わる。例えば「Ａ社」の洗剤を使用する場合には当該洗剤の種類を「Ａ社」が定めた使用量「１５ｇ／３０Ｌ」として入力し、「Ｂ社」の洗剤を使用する場合には当該洗剤の種類を「Ｂ社」が定めた使用量「２５ｇ／３０Ｌ」として入力する。
【００３８】
＜洗剤使用量スイッチ４６について＞
洗剤の使用量を指定するものであり、洗剤使用量スイッチ４６の操作時には洗剤使用量が操作毎に「標準」→「０．８倍」→「ゼロ」→「１．２倍」・・・のスクロール状に切換わる。この洗剤使用量スイッチ４６は洗剤種類スイッチ４５の入力結果（標準的な洗剤使用量）を「１」とした比率で洗剤使用量を指定するものであり、例えば洗剤種類が「１５ｇ／３０Ｌ」であるときには、図６に示すように、洗剤使用量「標準」，「０．８倍」，「ゼロ」，「１．２倍」に応じて洗剤投入量が「１５ｇ／３０Ｌ」，「１２ｇ／３０Ｌ」，「０ｇ／３０Ｌ」，「１８ｇ／３０Ｌ」に設定される。尚、洗剤使用量スイッチ４６は指定手段に相当するものである。
【００３９】
＜洗剤量固定スイッチ４７について＞
洗剤使用量を予め設定された一定値に固定するか否かを指定するものであり、洗剤量固定の有無は洗剤量固定スイッチ４７の操作毎に「洗剤量固定有り」および「洗剤量固定無し」に交互に切換わる。
＜洗濯コーススイッチ４８について＞
洗濯コースを指定するためのものであり、洗濯コーススイッチ４８の操作時には洗濯コースが操作毎に「標準コース」→「押し洗いコース」→「ドラムコース」→「毛布コース」等にスクロール状に切換わる。尚、洗濯コーススイッチ４８は指定手段に相当するものである。
【００４０】
＜スタートスイッチ４９について＞
洗濯運転の開始を指令するものであり、スタートスイッチ４９の操作時には設定された運転条件で洗濯運転が行われる。この洗濯運転は洗い工程，すすぎ工程，脱水工程の組合せからなるものであり、洗い工程およびすすぎ工程の詳細は次の通りである。
【００４１】
洗い工程：洗い時間Ｐａおよび水流Ｐｂをパラメータとするものであり、洗い時間Ｐａおよび水流Ｐｂを各種の値にセットして実行される。この洗い工程は洗い水として洗剤水を使用するものであり、洗い工程を実行するに際しては洗剤排出装置４２から注水ケース４１内に洗剤が排出された後に給水弁４０が開放状態に切換えられ、注水ケース４１内から洗濯槽４内に設定水位の洗剤水が自動的に注入される。
【００４２】
すすぎ工程：すすぎ時間Ｐｃをパラメータとするものであり、すすぎ時間Ｐｃを各種の値にセットして行われる。このすすぎ工程はすすぎ水として真水を使用するものであり、すすぎ工程を実行するに際しては給水弁４０が開放状態に切換えられ、空の注水ケース４１内を通して洗濯槽４内に水がオーバーフロー状態で注入される。
【００４３】
＜メモリスイッチ５０について＞
電源入スイッチ４３の操作時に初期設定される運転条件を変更するものであり、メモリスイッチ５０の有効な操作時には次回以後の初期運転条件が現在の運転条件に設定される。
【００４４】
操作パネル２６には、図５に示すように、洗剤種類表示部５１が設けられている。この洗剤種類表示部５１の下方にはバックライト（図示せず）が固定されており、バックライトは制御装置３０に電気的に接続されている。この洗剤種類表示部５１は「１５ｇ／３０Ｌ」，「２０ｇ／３０Ｌ」，「２５ｇ／３０Ｌ」と記された部分を称するものであり、制御装置３０は洗剤種類スイッチ４５の操作内容に応じてバックライトを駆動制御する。そして、洗剤種類「１５ｇ／３０Ｌ」〜「２５ｇ／３０Ｌ」を選択的に照明し、洗剤種類スイッチ４５の操作内容を使用者に報知する。
【００４５】
操作パネル２６には洗剤使用量表示部５２が設けられている。この洗剤使用量表示部５２の下方にはバックライト（図示せず）が固定されており、バックライトは制御装置３０に電気的に接続されている。この洗剤使用量表示部５２は「標準」，「０．８倍」，「ゼロ」，「１．２倍」と記された部分を称するものであり、制御装置３０は洗剤使用量スイッチ４６の操作内容に応じてバックライトを駆動制御する。そして、洗剤使用量「標準」〜「１．２倍」を選択的に照明し、洗剤使用量スイッチ４６の操作内容を使用者に報知する。
【００４６】
操作パネル２６には洗濯コース表示部５３が設けられている。この洗濯コース表示部５３の下方にはバックライト（図示せず）が固定されており、バックライトは制御装置３０に電気的に接続されている。この洗濯コース表示部５３は「すすぎ」，「標準」，「つけおき」，「やさしい」，「押し洗い」，「ドラム」，「毛布」と記された部分を称するものであり、制御装置３０は洗濯コーススイッチ４８の操作内容に応じてバックライトを駆動制御する。そして、洗濯コース「すすぎ」〜「毛布」を選択的に照明し、洗濯コーススイッチ４８の操作内容を使用者に報知する。
【００４７】
洗剤排出装置４２の洗剤排出モータは制御装置３０に駆動回路３１を介して電気的に接続されており、制御装置３０は洗剤排出モータの回転量を洗剤種類および洗剤使用量の設定結果に基づいて制御し、注水ケース４１内に洗剤種類および洗剤使用量の設定結果に応じた量の洗剤を排出する。尚、制御装置３０は洗剤排出モータを一定速度で一定方向へ駆動し、洗剤排出モータの駆動時間を加減することに基づいて回転量を制御する。
【００４８】
給水弁４０のバルブソレノイドは駆動回路３１を介して制御装置３０に電気的に接続されており、制御装置３０は洗剤の排出後に給水弁４０を開放することに基づいて注水ケース４１内に水道水を注入し、注水ケース４１内の洗剤を水道水と共に洗濯槽４内に自動的に注入する。
【００４９】
制御装置３０のＲＯＭには制御プログラムが記録されており、制御装置３０のＣＰＵは洗濯モータ３，クラッチモータ６，バルブソレノイド，洗剤排出モータを制御プログラムに基づいて駆動制御することに伴い洗濯運転を全自動で実行する。図７は制御装置３０のＲＯＭに記録された制御プログラムを示すフローチャートであり、以下、図７のフローチャートについて説明する。
【００５０】
制御装置３０は電源入スイッチ４３が操作されると、ステップＳ１１の初期化処理へ移行する。ここでＲＡＭの運転条件エリアから運転条件として洗剤種類，洗剤使用量，洗剤量固定の有無，洗濯コースを検出し、運転条件を検出結果に初期設定する。尚、制御装置３０のＲＡＭは電源切スイッチ４４が操作された主電源のオフ状態でもデータバックアップ用のバックアップ電源が供給されるものである。
【００５１】
制御装置３０はステップＳ１１で運転条件を初期設定すると、ステップＳ１２の運転条件変更処理へ移行する。この運転条件変更処理は洗剤種類スイッチ４５，洗剤使用量スイッチ４６，洗剤量固定スイッチ４７，洗濯コーススイッチ４８の操作の有無を判断し、洗剤種類スイッチ４５〜洗濯コーススイッチ４８の操作を検出したときには運転条件の初期設定結果を洗剤種類スイッチ４５〜洗濯コーススイッチ４８の操作内容に応じて変更するものであり、制御装置３０は運転条件変更処理を終えると、ステップＳ１３へ移行する。ここでスタートスイッチ４９の操作の有無を判断し、スタートスイッチ４９の操作を検出したときにはステップＳ１４へ移行する。
【００５２】
制御装置３０は「メモリスイッチ５０の操作→洗剤種類スイッチ４５〜洗濯コーススイッチ４８の操作→メモリスイッチ５０の再操作→スタートスイッチ４９の操作」を検出したときにはＲＡＭの運転条件エリアに現在の運転条件（具体的には洗剤種類，洗剤使用量，洗剤量固定の有無，洗濯コース）を格納する。そして、次回の電源投入時にはＲＡＭの運転条件エリアから運転条件の格納データを検出し、運転条件を格納データに初期設定する。
【００５３】
即ち、メモリスイッチ５０の操作後に運転条件が変更されてメモリスイッチ５０が再操作されたときには運転条件の変更結果がＲＡＭの運転条件エリアに格納され、次回以後は運転条件が今回の運転条件に初期設定される。また、メモリスイッチ５０を操作せずに運転条件を変更したときには変更結果が運転条件エリアに格納されず、次回以後は運転条件が前回の運転条件（今回の運転時に初期設定された運転条件）に初期設定される。
【００５４】
制御装置３０はステップＳ１４へ移行すると、洗濯物量を検出する。そして、ステップＳ１５で洗濯物量の検出結果に基づいて洗い水位を「高水位（４５Ｌ）」，「中水位（３０Ｌ）」，「低水位（１５Ｌ）」に選択的に設定し、ステップＳ１６で洗剤投入量を設定する。この設定処理は洗剤量固定の設定の有無に応じた異なる態様で行われるものであり、例えば洗剤量固定が設定されているときには洗剤投入量が固定的な一定値に設定され、洗剤量固定が設定されていないときには洗剤投入量が洗剤種類の設定結果に洗剤使用量の設定結果および水位の設定結果を乗じた値に設定される。例えば洗剤種類，洗剤使用量，水位が「２０ｇ／３０Ｌ」，「０．８倍」，「高水位（４５Ｌ）」であるときには洗剤投入量が「２４ｇ（＝２０ｇ・０．８倍・４５Ｌ／３０Ｌ）」に設定される。
【００５５】
制御装置３０は洗剤投入量を設定すると、ステップＳ１７で洗剤排出モータの回転量を洗剤投入量の設定結果に基づいて設定し、洗剤排出モータを設定量だけ駆動することに基づいて注水ケース４１内に設定量の洗剤を排出する。そして、ステップＳ１８へ移行し、洗剤量固定設定の有無を検出する。ここで洗剤量固定設定がされていないことを検出したときにはステップＳ１９へ移行し、洗剤量固定設定がされていることを検出したときにはステップＳ２０へ移行する。
【００５６】
制御装置３０はステップＳ１９へ移行すると、洗剤使用量の設定結果に応じた異なる運転コースを設定し、運転コースの設定結果に応じて運転を実行する。具体的には洗剤使用量が「標準」の場合，洗剤使用量が「１．２倍」の場合，洗剤使用量が「０．８倍」の場合には、図８の（ａ）〜（ｃ）に示すように、▲１▼洗い工程，▲２▼すすぎ工程，▲３▼脱水工程，▲４▼すすぎ工程，▲５▼脱水工程を当該順序で行うコースが設定される。また、洗剤使用量が「ゼロ」の場合には、図８の（ｄ）に示すように、▲１▼洗い工程，▲２▼すすぎ工程，▲３▼脱水工程を当該順序で行うコースが設定される。以下、図８の運転内容について詳述する。尚、下記の説明のうち洗い時間Ｐａ，水流Ｐｂ，すすぎ時間Ｐｃは洗剤使用量が「標準」である場合に対する相対的なものである。
【００５７】
＜洗剤使用量が「標準」の場合＞
洗剤使用量が「標準」の場合には、図８の（ａ）に示すように、▲１▼洗い工程で洗い時間Ｐａおよび水流Ｐｂが標準値にセットされ、標準の長さの洗い時間および標準の強さの水流で運転が行われる。また、▲２▼すすぎ工程および▲４▼すすぎ工程ではすすぎ時間Ｐｃが標準値にセットされ、標準の長さのすすぎ時間で運転が行われる。この洗濯コースは標準量コースに相当するものである。
【００５８】
＜洗剤使用量が「１．２倍（多め）」の場合＞
洗剤使用量が「１．２倍」の場合には、図８の（ｂ）に示すように、▲１▼洗い工程で洗い時間Ｐａおよび水流Ｐｂが短値および弱値にセットされ、短い洗い時間および弱い水流で運転が行われる。また、▲２▼すすぎ工程および▲４▼すすぎ工程ではすすぎ時間Ｐｃが長値にセットされ、長いすすぎ時間で運転が行われる。
【００５９】
＜洗剤使用量が「０．８倍（少なめ）」の場合＞
洗剤使用量が「０．８倍」の場合には、図８の（ｃ）に示すように、▲１▼洗い工程で洗い時間Ｐａおよび水流Ｐｂが長値および標準値にセットされ、長い洗い時間および標準の強さの水流で運転が行われる。また、▲２▼すすぎ工程および▲４▼すすぎ工程ではすすぎ時間Ｐｃが短値にセットされ、短いすすぎ時間で運転が行われる。この洗濯コースは非標準量コースに相当するものである。
【００６０】
＜洗剤使用量が「ゼロ」の場合＞
洗剤使用量が「ゼロ」の場合には、図８の（ｄ）に示すように、▲１▼洗い工程で洗い時間Ｐａおよび水流Ｐｂが長値および強値にセットされ、長い洗い時間および強い水流で運転が行われる。また、▲２▼すすぎ工程ではすすぎ時間Ｐｃが短値にセットされ、短いすすぎ時間で運転が行われる。この洗濯コースは非標準量コースに相当するものである。
【００６１】
制御装置３０は図７のステップＳ１８で洗剤量固定が設定されていることを検出すると、ステップＳ２０へ移行し、洗濯物量の設定結果（水位の設定結果）に応じた異なる態様で運転コースを設定し、運転コースの設定結果に応じた内容で運転を実行する。この運転コースは、図９の（ａ）〜（ｃ）に示すように、▲１▼洗い工程，▲２▼すすぎ工程，▲３▼脱水工程，▲４▼すすぎ工程，▲５▼脱水工程を当該順序で行うものであり、詳細は次の通りである。尚、下記の説明のうち洗い時間Ｐａ，水流Ｐｂ，すすぎ時間Ｐｃは水位が「中水位」である場合に対する相対的なものである。
【００６２】
＜洗い水位が「高水位」の場合（洗剤濃度が薄い場合）＞
洗い水位が「高水位」の場合には、図９の（ａ）に示すように、▲１▼洗い工程で洗い時間Ｐａおよび水流Ｐｂが長値および標準値にセットされ、長い洗い時間および標準の強さの水流で運転が行われる。また、▲２▼すすぎ工程および▲４▼すすぎ工程ではすすぎ時間Ｐｃが短値にセットされ、短いすすぎ時間で運転が行われる。
【００６３】
＜洗い水位が「中水位」の場合（洗剤濃度が標準の場合）＞
洗い水位が「中水位」の場合には、図９の（ｂ）に示すように、▲１▼洗い工程で洗い時間Ｐａおよび水流Ｐｂが標準値にセットされ、標準の洗い時間および標準の強さの水流で運転が行われる。また、▲２▼すすぎ工程および▲４▼すすぎ工程ではすすぎ時間Ｐｃが標準値にセットされ、標準のすすぎ時間で運転が行われる。
【００６４】
＜洗い水位が「低水位」の場合（洗剤濃度が濃い場合）＞
洗い水位が「低水位」の場合には、図９の（ｃ）に示すように、▲１▼洗い工程で洗い時間Ｐａおよび水流Ｐｂが短値および標準値にセットされ、短い洗い時間および標準の強さの水流で運転が行われる。また、▲２▼すすぎ工程および▲４▼すすぎ工程ではすすぎ時間Ｐｃが長値にセットされ、長いすすぎ時間で運転が行われる。
【００６５】
上記第２実施例によれば、洗剤量を標準値に対する比率で指定し、注水ケース４１内から指定結果に応じた量の洗剤分を洗濯槽４内に自動的に投入した。このため、洗剤量を絶対的な数値で直接入力する必要がなくなるので、使い勝手が向上する。しかも、洗剤量の比率として「１」を下回る洗剤量減少値および「１」を上回る洗剤量増加値を指定可能に設け、洗剤量の比率に応じて洗い時間を加減した。このため、洗剤量によって運転時間を調整できるので、使い勝手が一層向上する。
【００６６】
また、標準を下回る洗剤量「０．８倍」および「ゼロ」で運転を行うときには「標準」で運転を行う場合に比べて洗い時間Ｐａを相対的に長く設定した。このため、洗濯槽４内の洗い水をヒータ等の加熱手段によって加熱することに基づいて洗浄力を高める必要がなくなり、ソフトウエア的に対応できるので、構成の複雑化が防止される。
【００６７】
尚、上記第２実施例においては、初期運転条件を記録する手段としてメモリースイッチ５０を用いたが、これに限定されるものではなく、例えばメモリースイッチ５０以外のスイッチを用いても良い。この場合、洗剤使用量スイッチ４６が設定値を超えて継続的に操作された場合に洗剤使用量の初期値を指定値に設定するように構成すると良い。例えば洗剤使用量「０．８倍」が指定されたままの状態で洗剤使用量スイッチ４６が２秒間を超えて継続的に操作された場合に洗剤使用量の初期値を「０．８倍」に設定する。
【００６８】
また、上記第２実施例においては、初期運転条件を変更可能に構成したが、これに限定されるものではなく、例えば初期運転条件を固定しても良い。この場合、初期運転条件を標準的なもの（例えば洗剤使用量「標準」，洗濯コース「標準コース」）に固定すると良い。
また、上記第２実施例においては、洗い工程を行うに際して洗剤排出装置４２から注水ケース４１内に洗剤を排出した後に水道水を注入したが、これに限定されるものではなく、例えば水道水の注入中に洗剤を排出しても良い。
【００６９】
また、上記第１および第２実施例においては、非標準量コースの設定時には標準量コースの設定時に比べて洗い時間Ｐａを高めたり、水流Ｐｂを強めたりしたが、これに限定されるものではなく、例えば標準量コースに比べて高温度の水で洗い工程を行っても良く、要は標準量コースに比べて高洗浄力で洗い工程を行えば良い。
【図面の簡単な説明】
【図１】本発明の第１実施例を示す図（ａは制御装置の制御内容を示すフローチャート、ｂは標準コースの運転内容を示す図、ｃは洗剤無しコースの運転内容を示す図）
【図２】洗濯機の内部構成を示す断面図
【図３】洗濯機の電気的構成を示すブロック図
【図４】本発明の第２実施例を示す図（洗濯機の内部構成を示す断面図）
【図５】操作パネルを示す図
【図６】洗剤種類および洗剤使用量に対する洗剤投入量の関係を示す図
【図７】制御装置の制御内容を示すフローチャート
【図８】運転内容を示す図（洗剤量固定が設定されていない場合）
【図９】運転内容を示す図（洗剤量固定が設定されている場合）
【符号の説明】
４は洗濯槽、１８は注水ケース（洗剤投入器）、２７はコーススイッチ（指定手段）、３０は制御装置（洗濯コース設定手段、運転制御手段）、４１は注水ケース（洗剤投入器）、４６は洗剤使用量スイッチ（指定手段）、４８は洗濯コーススイッチ（指定手段）を示している。
【図１】
2004159755.tif 000003
【図２】
2004159755.tif 000004
【図３】
2004159755.tif 000005
【図４】
2004159755.tif 000006
【図５】
2004159755.tif 000007
【図６】
2004159755.tif 000008
【図７】
2004159755.tif 000009
【図８】
2004159755.tif 000010
【図９】
2004159755.tif 000011